(57)【要約】【課題】  効率良く、且つ、正確に所望する領域の拡大断層画像を得る。【解決手段】  スキャノ画像構成処理部５は、スキャノデータ保存部２に保存されたスキャノデータに基づいてスキャノ画像を作成して表示部９に表示させる。操作者は、このスキャノ画像上において操作部１０の操作により再構成する位置決め用断層画像のスライス位置を指定する。位置決め用断層画像再構成処理部６は、スキャンデータ保存部３からこのスライス位置に相当するスキャンデータを呼び出して、位置決め用断層画像を再構成して表示部９に表示させる。操作者は、この位置決め用断層画像上において操作部１０の操作により拡大断層画像の断面方向に関する領域及びそのスキャン方向の範囲を指定する。拡大断層像再構成処理部７は、スキャンデータ保存部３から当該領域で且つ当該スキャン方向の範囲に相当するスキャンデータを呼び出して、拡大断層画像を再構成して表示部９に表示させる。【選択図】      図１
2005245914.tif 000002
【特許請求の範囲】
【請求項１】
スキャノ撮影によって取得されたスキャノデータに基づくスキャノ画像と、前記スキャノ撮影に基づいて実施されたスキャン撮影によって収集されたスキャンデータに基づく断層画像を表示する表示手段と、
前記スキャン撮影によって収集されたスキャンデータを保存する保存手段と、
前記スキャノ画像上において所定のスライス位置を指定し、また、前記断層画像上において所定の領域を指定するための指定手段と、
前記表示手段に表示された前記スキャノ画像上において前記指定手段によって指定されたスライス位置にあるスキャンデータを前記保存手段から読み出して、当該スライス位置における断層画像を再構成する再構成手段と、
前記表示手段に表示された前記断層画像上において前記指定手段によって指定された領域で、且つ、前記スキャン撮影におけるスキャン方向の所定範囲にあるスキャンデータを前記保存手段から読み出して、当該領域及び当該範囲に相当する拡大断層画像を再構成する拡大再構成手段と、を備えたことを特徴とする画像処理装置。
【請求項２】
前記所定範囲を入力するための入力手段をさらに備えたことを特徴とする請求項１に記載の画像処理装置。
【請求項３】
前記拡大断層画像を表示する前記表示手段は、ことを特徴とする請求項１又は請求項２に記載の画像処理装置。
【請求項４】
スキャノ撮影を実施することでスキャノデータを取得し、また、前記スキャノ撮影に基づくスキャン撮影を実施することでスキャンデータを収集する撮影手段と、
前記スキャノデータに基づくスキャノ画像と、前記スキャンデータに基づく断層画像を表示する表示手段と、
前記スキャン撮影によって収集されたスキャンデータを保存する保存手段と、
前記スキャノ画像上において所定のスライス位置を指定し、また、前記断層画像上において所定の領域を指定するための指定手段と、
前記表示手段に表示された前記スキャノ画像上において前記指定手段によって指定されたスライス位置にあるスキャンデータを前記保存手段から読み出して、当該スライス位置における断層画像を再構成する再構成手段と、
前記表示手段に表示された前記断層画像上において前記指定手段によって指定された領域で、且つ、前記スキャン撮影におけるスキャン方向の所定範囲にあるスキャンデータを前記保存手段から読み出して、当該領域及び当該範囲に相当する拡大断層画像を再構成する拡大再構成手段と、を備えたことを特徴とする画像診断システム。
【請求項５】
前記所定範囲を入力するための入力手段をさらに備えたことを特徴とする請求項４に記載の画像診断システム。
【請求項６】
前記拡大断層画像を表示する前記表示手段は、ことを特徴とする請求項４又は請求項５に記載の画像診断システム。
【請求項７】
スキャノ撮影に基づいて実施されたスキャン撮影によって収集されたスキャンデータを保存する保存ステップと、
前記スキャノ撮影によって取得されたスキャノデータに基づくスキャノ画像を表示するスキャノ画像表示ステップと、
前記表示されたスキャノ画像上において所定のスライス位置が指定されたことを受けて、当該スライス位置にあるスキャンデータを読み出して、当該スライス位置における断層画像を再構成する再構成ステップと、
前記再構成された断層画像を表示する断層画像表示ステップと、
前記表示された断層画像上において所定の領域が指定されたことを受けて、当該指定された領域で、且つ、前記スキャン撮影におけるスキャン方向の所定範囲にあるスキャンデータを読み出して、当該領域及び当該範囲に相当する拡大断層画像を再構成する拡大再構成ステップと、を含むことを特徴とする画像処理方法。
【請求項８】
前記所定範囲が入力される入力ステップをさらに含むことを特徴とする請求項７に記載の画像処理方法。
【請求項９】
前記再構成された拡大断層画像を表示する拡大断層画像表示ステップをさらに含むことを特徴とする請求項７又は請求項８に記載の画像処理方法。
【発明の詳細な説明】
【技術分野】
【０００１】
本発明は、Ｘ線ＣＴ装置等によって収集されたスキャンデータから指定された領域に相当する部分を取り出して、当該領域に相当する拡大断面画像を再構成する画像処理装置と、当該画像処理装置及びＸ線ＣＴ装置等の撮影装置から成る画像診断システムと、それらの画像処理方法に関する。
【背景技術】
【０００２】
従来から、診断に供される画像処理装置においては、Ｘ線ＣＴ装置等によって収集したスキャンデータ（以下、生データとも称する）を再構成した断層画像を表示した後、この断層画像上において所定の領域が指定されたことを受けて、この領域に相当する部分の生データを再構成した断層画像（以下、拡大断層画像と称する）を拡大して表示することが行われている（例えば、特許文献１参照）。尚、此処にいう再構成とは、多方向から収集したスキャンデータに基づいて、被検体断層面の各点におけるＸ線吸収係数をコンピューターによって計算し、これを断層画像として再生する処理のことである。
【０００３】
因みに、Ｘ線ＣＴ装置において、その空間分解能を規定することとなる上述した生データをサンプリングする検出素子の数（例えば、チャンネル方向とスキャン方向に合計約３６００個）は、この生データを用いて再構成した断層画像を表示するモニタの解像度（例えば、５１２×５１２ピクセル）と比して遥かに高精細になっていることから、画像処置装置においては、拡大断層画像をその解像度を落とすことなく表示することができる。
【０００４】
ここで、上述した関心領域を指定する方法として、以下に記載する２通りの方法を例に挙げて説明する。
（１）画像処理装置においては、全てのスキャン範囲内における断層画像を再構成して、それら断層画像群をＭＰＲ（他断層再構成）処理し、その内、所定位置のアキシャル画像を含む少なくとも２断面のＭＰＲ画像を表示する。操作者は、ここで、例えば図５（Ａ）、（Ｂ）に示すように、ＭＰＲのアキシャル画像１００Ａと、ＭＰＲのサジタル画像１００Ｂの各々において、ＲＯＩ（所定領域を指定するために使用するグラフィカルユーザインタフェースのこと）を用いて所望する拡大断層画像の領域を指定する。これにより、再構成する対象となる拡大断層画像の三次元的な領域が特定されて、当該領域に相当する拡大断層画像が再構成される。
（２）画像処理装置においては、２方向からのスキャノ画像を表示する。操作者は、ここで、例えば図６（Ａ）、（Ｂ）に示すように、正面方向からのスキャノ画像１０１Ａと、側面方向からのスキャノ画像１０１Ｂの各々において、ＲＯＩを用いて所望する拡大断層画像の領域を指定する。これにより、再構成する対象となる拡大断層画像の三次元的な領域が特定されて、当該領域に相当する拡大断層画像が再構成される。
【０００５】
【特許文献１】特開平１−１３１６４５号公報（［実施例］第１段落‐第１０段落、第１図）
【発明の開示】
【発明が解決しようとする課題】
【０００６】
ところで、近年のＸ線ＣＴ装置においては、検出器（検出素子をチャンネル方向に配列したユニットのこと）の多列化に伴い、再構成する断層画像の枚数が飛躍的に増加している。その一方で、再構成処理能力自体は、それ程向上していない状況にある。従って、現在においては、上述した（１）に記載の方法を採る場合、即ち、全てのスキャン範囲内における断層画像を再構成し、さらに、ＭＰＲ処理を行うことで、所望する拡大断層画像の領域を指定するための２断面のＭＰＲ画像を作成するといった場合には、多大な時間がかかっている。
【０００７】
また、上述したスキャノ画像は、断層画像を再構成するための生データを収集するスキャン撮影を実施する前に、その撮影範囲を決定するべく行われるスキャノ撮影によって取得されるスキャノデータに基づいて作成されるものであるために、このスキャノ画像と断層画像とでは、そのデータ取得（収集）時期が異なっており、そのため、上述した（２）に記載の方法を採る場合には、スキャノ撮影とスキャン撮影とが実施される間に被検体の位置が変化した場合に、所望した領域の拡大断層画像を正確に得ることができなかった。
【０００８】
本発明は、上述した課題を鑑みてなされたものであり、その目的とするところは、スキャノ画像上で、所望する拡大断層画像の領域を指定するための断層画像のスライス位置を指定し、その指定したスライス位置における断層画像上で、所望する拡大断層画像の領域を指定することで、効率良く、且つ、正確に所望する領域の拡大断層画像を得ることができる画像処理装置、画像診断システム、及びその画像処理方法を提供することにある。
【課題を解決するための手段】
【０００９】
上記課題を解決するために、請求項１に記載の発明は、スキャノ撮影によって取得されたスキャノデータに基づくスキャノ画像と、前記スキャノ撮影に基づいて実施されたスキャン撮影によって収集されたスキャンデータに基づく断層画像を表示する表示手段と、前記スキャン撮影によって収集されたスキャンデータを保存する保存手段と、前記スキャノ画像上において所定のスライス位置を指定し、また、前記断層画像上において所定の領域を指定するための指定手段と、前記表示手段に表示された前記スキャノ画像上において前記指定手段によって指定されたスライス位置にあるスキャンデータを前記保存手段から読み出して、当該スライス位置における断層画像を再構成する再構成手段と、前記表示手段に表示された前記断層画像上において前記指定手段によって指定された領域で、且つ、前記スキャン撮影におけるスキャン方向の所定範囲にあるスキャンデータを前記保存手段から読み出して、当該領域及び当該範囲に相当する拡大断層画像を再構成する拡大再構成手段と、を備えたことを特徴としている。
【００１０】
上記課題を解決するために、請求項２に記載の発明は、請求項１に記載の画像処理装置であって、前記所定範囲を入力するための入力手段をさらに備えたことを特徴としている。
【００１１】
上記課題を解決するために、請求項３に記載の発明は、請求項１又は請求項２に記載の画像処理装置であって、前記表示手段は前記拡大断層画像を表示することを特徴としている。
【００１２】
上記課題を解決するために、請求項４に記載の発明は、スキャノ撮影を実施することでスキャノデータを取得し、また、前記スキャノ撮影に基づくスキャン撮影を実施することでスキャンデータを収集する撮影手段と、前記スキャノデータに基づくスキャノ画像と、前記スキャンデータに基づく断層画像を表示する表示手段と、前記スキャン撮影によって収集されたスキャンデータを保存する保存手段と、前記スキャノ画像上において所定のスライス位置を指定し、また、前記断層画像上において所定の領域を指定するための指定手段と、前記表示手段に表示された前記スキャノ画像上において前記指定手段によって指定されたスライス位置にあるスキャンデータを前記保存手段から読み出して、当該スライス位置における断層画像を再構成する再構成手段と、前記表示手段に表示された前記断層画像上において前記指定手段によって指定された領域で、且つ、前記スキャン撮影におけるスキャン方向の所定範囲にあるスキャンデータを前記保存手段から読み出して、当該領域及び当該範囲に相当する拡大断層画像を再構成する拡大再構成手段と、を備えたことを特徴としている。
【００１３】
上記課題を解決するために、請求項５に記載の発明は、請求項４に記載の画像診断システムであって、前記所定範囲を入力するための入力手段をさらに備えたことを特徴としている。
【００１４】
上記課題を解決するために、請求項６に記載の発明は、請求項４又は請求項５に記載の画像診断システムであって、前記表示手段は前記拡大断層画像を表示することを特徴としている。
【００１５】
上記課題を解決するために、請求項７に記載の発明は、スキャノ撮影に基づいて実施されたスキャン撮影によって収集されたスキャンデータを保存する保存ステップと、前記スキャノ撮影によって取得されたスキャノデータに基づくスキャノ画像を表示するスキャノ画像表示ステップと、前記表示されたスキャノ画像上において所定のスライス位置が指定されたことを受けて、当該スライス位置にあるスキャンデータを読み出して、当該スライス位置における断層画像を再構成する再構成ステップと、前記再構成された断層画像を表示する断層画像表示ステップと、前記表示された断層画像上において所定の領域が指定されたことを受けて、当該指定された領域で、且つ、前記スキャン撮影におけるスキャン方向の所定範囲にあるスキャンデータを読み出して、当該領域及び当該範囲に相当する拡大断層画像を再構成する拡大再構成ステップと、を含むことを特徴としている。
【００１６】
上記課題を解決するために、請求項８に記載の発明は、請求項７に記載の画像処理方法であって、前記所定範囲が入力される入力ステップをさらに含むことを特徴としている。
【００１７】
上記課題を解決するために、請求項９に記載の発明は、請求項７又は請求項８に記載の画像処理方法であって、前記再構成された拡大断層画像を表示する拡大断層画像表示ステップをさらに含むことを特徴としている。
【発明の効果】
【００１８】
請求項１、請求項４又は請求項７に記載の発明によれば、まず、操作者がスキャノ画像上において、所望する拡大断層画像の領域を指定するための断層画像のスライス位置を指定することで、この指定されたスライス位置における断層画像のみが再構成されるので、従来のようにスキャン範囲内にある全ての断層画像が再構成されるといった非効率的なことが行われることがなく、さらに、操作者がこの断層画像上において所望する拡大断層画像の領域を指定することで、この指定された領域で、且つ、スキャン方向の所定範囲にあるスキャンデータに基づいて拡大断層画像が再構成されるので、スキャノ撮影とスキャン撮影とが実施される間に被検者の位置が変化してしまった場合であっても、所望する領域の拡大断層画像を正しく再構成することができる。従って、操作者は、効率良く、且つ、正確に所望する領域の拡大断層画像を得ることができる。
【００１９】
また、請求項２、請求項５又は請求項８に記載の発明によれば、操作者は、再構成する拡大断層画像のスキャン方向の範囲として所望する範囲を入力することができる。
【００２０】
また、請求項３、請求項６又は請求項９に記載の発明によれば、操作者が所望した領域の拡大断層画像が表示されるので、これを診断に供することができる。
【発明を実施するための最良の形態】
【００２１】
以下、本発明に係る画像処理装置及び画像診断システムの好適な一実施形態について、図面を参照しながら具体的に説明する。尚、以下においては、画像処理装置について主に説明するが、本発明に係る画像診断システムは、当該画像処理装置とＸ線ＣＴ装置等の撮影装置とから構成されるものである。
【００２２】
［画像処理装置の制御構成］
まず、本実施形態における画像処理装置の制御構成について説明する。図１に、当該画像処理装置の制御構成を表す機能ブロック図を示す。
【００２３】
図１に示すように、当該画像処理装置は、例えばＸ線ＣＴ装置によって構成されるデータ収集装置１がスキャノ撮影を実施することで取得したスキャノデータを保存するスキャノデータ保存部２と、同じく、データ収集装置１が上述したスキャノ撮影に基づいてスキャン撮影を実施することで収集したスキャンデータを保存するスキャンデータ保存部３とから構成されるデータ保存部４と、スキャノデータ保存部２に保存されたスキャノデータを読み出し、当該スキャノデータに基づくスキャノ画像を作成して、当該作成したスキャノ画像を後述する表示部９に表示させる処理を行うと共に、このスキャノ画像上に、操作者が所望する拡大断層画像の断面方向に関する領域を指定する際に使用する位置決め用断層画像のスライス位置を指定するためのＲＯＩを表示させる処理を行うスキャノ画像構成処理部５と、スキャンデータ保存部３から後述する操作部１０によって指定されたスライス位置に相当するスキャンデータを読み出し、当該スライス位置における断層画像（以下、位置決め用断層画像と称する）を再構成して、当該再構成した位置決め用断層画像を表示部９に表示させる処理を行うと共に、この位置決め用断層画像上に、操作者が所望する拡大断層画像の断面方向に関する領域を指定するためのＲＯＩを表示させる処理を行う位置決め用断層画像再構成処理部６と、スキャンデータ保存部３から後述する操作部１０によって指定された拡大断層画像の断面方向に関する領域で、且つ、同じく操作部１０によって入力された奥行き方向に関する範囲、言い換えれば、スキャン撮影時におけるスキャン方向の範囲に相当するスキャンデータを読み出し、当該領域で且つ当該範囲に相当する拡大断層画像を再構成して、当該再構成した拡大断層画像を表示部９に拡大して表示させる処理を行う拡大断層画像再構成処理部７とから構成される画像処理部８と、上述したスキャノ画像を表示し、また、上述した位置決め用断層画像及び拡大断層画像を表示する表示部９と、上述したように、操作者が、表示部９に表示されたスキャノ画像上で所望する拡大断層画像の領域を指定する際に使用する位置決め用断層画像のスライス位置を上述したＲＯＩにより指定する操作と、同じく表示部９に表示された位置決め用断層画像上で所望する拡大断層画像の断面方向に関する領域を上述したＲＯＩにより指定する操作と、所望する拡大断層画像のスキャン方向に関する範囲を入力する操作を行うための操作部１０と、を備えている。尚、上述したように、本実施形態における画像診断システムは、当該画像処理装置と、上述のデータ収集装置１とから構成される。
【００２４】
［画像処理の流れ］
次に、このように構成される当該画像処理装置が行う画像処理の流れについて、図２に示すフローチャートを参照しながら説明する。
【００２５】
図２に示すように、データ収集装置１がスキャノ撮影を実施することで取得したスキャノデータは、スキャノデータ保存部２に保存される（Ｓ０１）。但し、本例においては、被検者の側面方向からスキャノ撮影が行われたものとする。
【００２６】
同じく、データ収集装置１が上述したスキャノ撮影に基づき実施したスキャン撮影において収集したスキャンデータは、スキャンデータ保存部３に保存される（Ｓ０２；保存ステップ）。
【００２７】
これを受けて、スキャノ画像構成処理部５は、スキャノデータ保存部２に保存されたスキャノデータを読み出して、当該スキャノデータに基づくスキャノ画像、より詳細には、被検者の側面方向からのスキャノ画像を作成して（Ｓ０３）、当該作成した側面方向からのスキャノ画像を表示部９に表示させる処理を行うと共に、この側面方向からのスキャノ画像上に、操作者が所望する拡大断層画像の断面方向に関する領域を指定する際に使用する位置決め用断層画像のスライス位置を指定するためのＲＯＩを表示させる処理を行う。尚、スキャノ画像構成処理部５は、不図示の記憶部を有しており、この記憶部に上述したＲＯＩの画像データやその初期表示位置等の情報を記憶している。
【００２８】
これを受けて、表示部９は、図３に示すように、被検者の側面方向からのスキャノ画像１０Ａを表示すると共に、この側面方向からのスキャノ画像１０Ａ上の所定位置に、操作者が所望する拡大断層画像の断面方向に関する領域を指定する際に使用する位置決め用断層画像のスライス位置を指定するためのスライス位置指定用ＲＯＩ１１Ａを表示する（Ｓ０４；スキャノ画像表示ステップ）。
【００２９】
ここで、操作者は、操作部１０によってこのスライス位置指定用ＲＯＩ１１Ａを操作することで、所望する拡大断層画像の断面方向に関する領域を指定する際に使用する位置決め用断層画像のスライス位置を指定する（Ｓ０５、ＹＥＳ）。
【００３０】
そして、スライス位置指定用ＲＯＩ１１Ａによって指定された位置決め用断層画像のスライス位置の情報は、位置決め用断層画像再構成処理部６に送信され、これを受けた位置決め用断層画像再構成処理部６は、そのスライス位置の情報に基づいて、スキャンデータ保存部３の対応するアドレスにアクセスして、そのアドレスから当該スライス位置に相当するスキャンデータを読み出して、当該スライス位置における位置決め用断層画像を再構成する（Ｓ０６；再構成ステップ）。
【００３１】
さらに、位置決め用断層画像再構成処理部６は、この再構成した位置決め用断層画像を表示部９に表示させる処理を行うと共に、この位置決め用断層画像上に、操作者が所望する拡大断層画像の断面方向に関する領域を指定するための拡大領域指定用ＲＯＩを表示させる処理を行う。尚、位置決め用断層画像再構成処理部６は、不図示の記憶部を有しており、この記憶部に拡大領域指定用ＲＯＩの画像データやその初期表示位置等の情報を記憶している。
【００３２】
これを受けて、表示部９は、図４（Ａ）に示すように、位置決め用断層画像１２Ａを表示すると共に、この位置決め用断層画像１２Ａ上の所定位置に拡大領域指定用ＲＯＩ１３Ａを表示する（Ｓ０７；断層画像表示ステップ）。
【００３３】
ここで、操作者は、操作部１０によってこの拡大領域指定用ＲＯＩ１３Ａを操作することで、所望する拡大断層画像の断面方向に関する領域を指定する。さらに、操作部１０の操作によって所望する拡大断層画像のスキャン方向の範囲を、例えばスキャン撮影時の寝台位置、又は、図３に示した被検者の側面方向からのスキャノ画像１０Ａ上において、拡大領域指定用ＲＯＩ１３Ａの位置を反映した拡大領域指定用ＲＯＩ１５Ａを操作することなどによって入力する。これにより、再構成する対象となる拡大断層画像の三次元的な領域が特定される（Ｓ０８、ＹＥＳ）。
【００３４】
そして、拡大領域指定用ＲＯＩ１３Ａによって指定された拡大断層画像の断面方向に関する領域の情報と、操作部１０の操作によって入力された拡大断層画像のスキャン方向の範囲の情報は、拡大断層画像再構成処理部７に送信され、これを受けた拡大断層画像再構成処理部７は、それらの情報に基づいて、スキャンデータ保存部３の対応するアドレスにアクセスして、そのアドレスから、指定された断面方向に関する領域で且つ入力されたスキャン方向の範囲に相当するスキャンデータを読み出して、当該三次元的な領域における拡大断層画像を再構成する（Ｓ０９；拡大再構成ステップ）。
【００３５】
尚、上述した拡大領域指定ステップにおいて、操作者が所望する拡大断層画像のスキャン範囲を入力しなかった場合には、拡大断層画像再構成処理部７は、操作者が、拡大断層画像のスキャン方向の範囲に関して、スキャン撮影においてデータ収集装置１がスキャンデータを収集した全てのスキャン範囲を入力したものと見做して（これにより、再構成する拡大断層画像の三次元的な範囲が特定される）、スキャンデータ保存部３に保存された全てのスキャン範囲にあるスキャンデータを読み出して、当該全てのスキャン範囲における拡大断層画像を再構成するものとする。そして、拡大断層画像再構成処理部７は、再構成した拡大断層画像の画像データを表示部９に送信する。
【００３６】
これを受けて、表示部９は、図４（Ｂ）に示すように、送信された拡大断層画像の画像データに基づく拡大断層画像１４Ａを拡大して表示する（Ｓ１０；拡大断層画像表示ステップ）。このようにして、拡大表示された拡大断層画像１４Ａは、診断に供されることになる。
【００３７】
尚、拡大断層画像再構成処理部７が再構成した拡大断層画像１４Ａの画像データは、当該画像処理装置によって再構成された断層画像の画像データを一括管理する不図示の断層画像保存装置に送信されて、当該断層画像保存装置において保存されることにしても良い。
【００３８】
以上に説明したように、本実施形態における画像処理装置、画像診断システム及びその画像処理方法によれば、まず、操作者が被検者の側面方向からのスキャノ画像１０Ａ上においてスライス位置指定用ＲＯＩ１１Ａにより所望する拡大断層画像の断面方向に関する領域を指定する際に使用する位置決め用断層画像のスライス位置を指定したことを受けて、位置決め用断層画像再構成処理部６がこの指定されたスライス位置に相当する位置決め用断層画像のみを再構成するので、従来のようにスキャン範囲内にある全ての断層画像が再構成されるといった非効率的なことが行われることがなく、さらに、操作者がこの位置決め用断層画像１２Ａ上において所望する拡大断層画像の断面方向に関する領域を拡大領域指定用ＲＯＩ１３Ａによって指定したことを受けて、この指定された領域で且つスキャン方向の所定範囲にあるスキャンデータに基づいて拡大断層画像１４Ａが再構成されるので、スキャノ撮影とスキャン撮影とが実施される間に被検者の位置が変化してしまった場合であっても、所望する領域の拡大断層画像が正しく再構成されることになる。従って、操作者は、効率良く、且つ、正確に所望する領域の拡大断層画像を得ることができる。
【００３９】
尚、本発明に係る画像処理装置、画像診断システム、及びその画像処理方法は、以上に説明した実施形態に限定されるものではなく、本発明に係る範囲を逸脱しない範囲内で種々の変形を行うことが可能である。
【００４０】
例えば、本実施形態においては、データ収集装置１によって被検者の側面方向からのスキャノ撮影が実施され、スキャノデータ保存部２は、その側面方向からのスキャノデータを保存し、スキャノ画像構成処理部５は、その側面方向からのスキャノ画像データを作成して、これを表示部９に表示させる処理を行うこととしたが、この他にも、例えば、データ収集装置１によって被検者の正面方向からのスキャノ撮影を実施し、スキャノデータ保存部２は、その正面方向からのスキャノデータを保存し、スキャノ画像構成処理部５は、その正面方向からのスキャノ画像データを作成して、これを表示部９に表示させる処理を行うことにしても良い。
【図面の簡単な説明】
【００４１】
【図１】本発明に係る画像処理装置の一実施形態における制御構成を表す機能ブロック図である。
【図２】図１に示す画像処理装置によって行われる画像処理の流れを表すフローチャートである。
【図３】図１に示す画像処理装置の表示部において表示されるスキャノ画像の表示態様を表す構成図である。
【図４】（Ａ）は、図１に示す画像処理装置の表示部において表示される位置決め用断層画像の表示態様を表す構成図である。  （Ｂ）は、（Ａ）に示す位置決め用断層画像上において指定された領域に相当する部分を再構成した拡大断層画像の表示態様を表す構成図である。
【図５】（Ａ）は、従来の画像処理装置において所望する拡大断層画像の領域を指定する際に用いられるＭＰＲのアキシャル画像の表示態様を表す構成図である。  （Ｂ）は、従来の画像処理装置において所望する拡大断層画像の領域を指定する際に、（Ａ）に示すＭＰＲのアキシャル画像と共に用いられるＭＰＲのサジタル画像の表示態様を表す構成図である。
【図６】（Ａ）は、従来の画像処理装置において所望する拡大断層画像の領域を指定する際に用いられる正面方向からのスキャノ画像の表示態様を表す構成図である。  （Ｂ）は、従来の画像処理装置において所望する拡大断層画像の領域を指定する際に、（Ａ）に示す正面方向からのスキャノ画像と共に用いられる側面方向からのスキャノ画像の表示態様を表す構成図である。
【符号の説明】
【００４２】
１  データ収集装置
２  スキャノデータ保存部
３  スキャンデータ保存部
４  データ保存部
５  スキャノ画像構成処理部
６  位置決め用断層画像再構成処理部
７  拡大断層画像再構成処理部
８  画像処理装置
９  表示部
１０  操作部
１０Ａ  正面方向からのスキャノ画像
１１Ａ  スライス位置指定用ＲＯＩ
１２Ａ  位置決め用断層画像
１３Ａ  拡大領域指定用ＲＯＩ
１４Ａ  拡大断層画像
１５Ａ  拡大領域指定用ＲＯＩ
【図１】
2005245914.tif 000003
【図２】
2005245914.tif 000004
【図３】
2005245914.tif 000005
【図４】
2005245914.tif 000006
【図５】
2005245914.tif 000007
【図６】
2005245914.tif 000008